(57)【要約】【課題】  柱、扉、枠体等に対して省スペースで強固に設置することができる猫用爪とぎ器を提供する。【解決手段】爪とぎ具と、前記爪とぎ具の少なくとも一端部に設置される基部と、前記基部に連結され、被挟持体を挟持するクランプ機構とを備えることを特徴とする猫用爪とぎ器であって、基部は、前記爪とぎ具と前記クランプ機構との間隙を調整可能とする前後調整孔を備え、前記クランプ機構は、固定部との間に連結部を介して収容空間を形成し、前記固定部に対向配置される保持部と、前記保持部に設置されて前記固定部に向けて進退可能とし、前記固定部との間で前記被挟持体を挟持する押圧手段とを備える猫用爪とぎ器。【選択図】  図１
2016041031.tif 000002
【特許請求の範囲】
【請求項１】
爪とぎ具と、
前記爪とぎ具の少なくとも一端部に設置される基部と、
前記基部に連結され、被挟持体を挟持するクランプ機構と、
を備えることを特徴とする猫用爪とぎ器。
【請求項２】
前記基部は、前記爪とぎ具と前記クランプ機構との間隙を調整可能とする前後調整孔を備える請求項１に記載の猫用爪とぎ器。
【請求項３】
前記クランプ機構は、固定部との間に連結部を介して収容空間を形成し、前記固定部に対向配置される保持部と、前記保持部に設置されて前記固定部に向けて進退可能とし、前記固定部との間で前記被挟持体を挟持する押圧手段とを備える請求項１又は請求項２に記載の猫用爪とぎ器。
【発明の詳細な説明】
【技術分野】
【０００１】
本発明は、柱、扉、枠体等に設置できる猫用爪とぎ器に関するものである。
【背景技術】
【０００２】
従来より、大きめの猫が立ち上がった状態でも爪をとぐことができるように壁型の猫用爪とぎ器が公知である。例えば、猫が爪を研ぐための爪とぎ具が表面に露出するように設置された壁部材と、壁部材の底部に接続された底面部材とを有し、壁部材の高さが７５ｃｍ以上であり、壁部材の少なくとも高さ１０〜７５ｃｍの位置の表面に、爪とぎ具が露出している猫用爪とぎ器が公知である（特許文献１参照）。
【０００３】
また、柱状をなし、表面部分が、爪が喰い込む程度の硬さとなっている爪とぎ具を、板状をなした基部から上方に向かって植設した猫用爪とぎ具が公知である（特許文献２参照）。
【先行技術文献】
【特許文献】
【０００４】
【特許文献１】実用新案登録第３１８７３１５号公報
【特許文献２】実用新案登録第３１２８９４１号公報
【発明の概要】
【発明が解決しようとする課題】
【０００５】
しかしながら、特許文献１の構造では、大きめの猫が立ち上がった状態でも爪をとぐことができる壁部材と、猫が寝ころんだ状態でも爪をとぐことができる底面部材とを備えているので、猫を飼育するためのペットケージ等を設置するスペース、猫が遊ぶためのスペース等とは別に当該爪とぎ器を設置するための十分なスペースを確保する必要があり、設置場所が限られるという問題があった。
【０００６】
また、特許文献２の構造では、板状をなした基部から爪とぎ具を上方に向かって設置するものであるが、猫が勢いよく飛びかかったりすると倒れてしまう等の安定性が懸念されるものであった。一方で、基部を大きくすると安定性は向上するが、特許文献１と同様にして、十分な設置スペースが必要となり、設置場所の問題が懸念されるものであった。
【０００７】
そこで、本発明はこのような問題点を解決するものであって、柱、扉、枠体等に対して省スペースで強固に設置することができる猫用爪とぎ器を提供することを課題とする。
【課題を解決するための手段】
【０００８】
前記問題点を解決するために、本発明の請求項１に記載の猫用爪とぎ器は、爪とぎ具と、前記爪とぎ具の少なくとも一端部に設置される基部と、前記基部に連結され、被挟持体を挟持するクランプ機構とを備えることを特徴とするものである。
【０００９】
また、本発明の請求項２に記載の猫用爪とぎ器は、請求項１に記載の猫用爪とぎ器において、前記基部は、前記爪とぎ具と前記クランプ機構との間隙を調整可能とする前後調整孔を備えるものである。
【００１０】
また、本発明の請求項３に記載の猫用爪とぎ器は、請求項１又は請求項２に記載の猫用爪とぎ器において、前記クランプ機構は、固定部との間に連結部を介して収容空間を形成し、前記固定部に対向配置される保持部と、前記保持部に設置されて前記固定部に向けて進退可能とし、前記固定部との間で前記被挟持体を挟持する押圧手段とを備えるものである。
【発明の効果】
【００１１】
本発明の猫用爪とぎ器では、被挟持体を挟持するクランプ機構を備えるので、爪とぎ具を被挟持体となる柱、扉、枠体等に対して省スペースで強固に設置することができる。
【図面の簡単な説明】
【００１２】
【図１】本発明の実施例における猫用爪とぎ器の分解斜視図である。
【図２】本発明の実施例における猫用爪とぎ器を板状体に設置した際の斜視図である。
【図３】本発明の実施例における猫用爪とぎ器を円柱体に設置した際の平面図である。
【発明を実施するための形態】
【００１３】
以下、本発明の実施の形態における猫用爪とぎ器を図面に基づいて説明する。以下の実施例では、被挟持体を扉、引き戸等の板状体Ｗとし、猫用爪とぎ器を板状体Ｗの縁部に取り付けるものとして説明するが、これに限られることがないのは勿論である。例えば、被挟持体を柱等の角柱体、手すり、ポール等の円柱体、書棚等の枠体等として取り付けることもできる。
【００１４】
当該猫用爪とぎ器は、扉等のおける板状体Ｗの上下方向に設置されるものであって、床面側を猫用爪とぎ器の下方とし、天井側を上方とする。また、板状体Ｗの厚み方向を猫用爪とぎ器の前後方向とする。
【実施例】
【００１５】
本発明の実施例に係る猫用爪とぎ器は、図１及び図２に示すように、主に、猫の爪をとぐ爪とぎ具１０と、爪とぎ具１０の少なくとも一端部に設置される基部２０と、基部２０に連結され、被挟持体となる板状体Ｗを挟持するクランプ機構３０とを備えて構成される。
【００１６】
爪とぎ具１０は、猫が自重をかけてぶら下がるようにして爪をといだり、寝ころんだりしながら爪をとぐことができるように長尺状に構成され、例えば、円柱状、角柱状等に形成される。また、爪とぎ具１０の上下両端部には、基部２０を設置するための取付孔１１が長手方向に沿って設けられる。
【００１７】
また、当該爪とぎ具１０の表面部は、円柱状、角柱状等のベース部（図示しない）に、例えば、麻、布地、布製ロープ等を巻回して構成される。爪とぎ具１０は、その他、段ボール、木製等から構成されるものであってもよく、表面部が猫の爪をとぐために適したものであれば、特に制限されるものではない。本実施例においては、爪とぎ具１０は、円柱状のベース部に麻が長手方向に沿って巻回されることで構成される。
【００１８】
基部２０は、爪とぎ具１０の少なくとも一端部に設置され、クランプ機構３０を爪とぎ具１０に対して固定するために設けられる。当該基部２０は、例えば、金属板、合成樹脂等からなり、略平板状にして形成されており、ボルト等の連結部材７０を挿通させるための貫通孔２１が所定箇所に設けられる。当該貫通孔２１は、爪とぎ具１０がクランプ機構３０との間隙を調整できるよう前後方向に伸びる長孔とすることが望ましい。当該貫通孔２１は、前後調整孔とされ、一つ又は複数個を設けることができる。
【００１９】
また、基部２０の外形は、猫が怪我をしないように円弧状等に形成されることが望ましく、意匠性を向上させる観点から適宜の形状とすることができるのは勿論である。このような基部２０は、爪とぎ具１０の上下方向に対して直交するように配置した状態で、連結部材７０によって爪とぎ具１０に着脱可能に取り付けられる。これにより、爪とぎ具１０の一部が消耗した際には、上下位置を入れ替えたり、交換したりすることができる。
【００２０】
クランプ機構３０は、被挟持体とされる板状体Ｗを挟持して爪とぎ具１０を固定するために設けられる。当該クランプ機構３０は、固定部４０と、固定部４０との間に収容空間３１を有して対向配置される保持部５０と、保持部５０に設置されて固定部４０に向けて進退可能とし、固定部４０との間で板状体Ｗを挟持する押圧手段８０を少なくとも備えてなる。
【００２１】
また、クランプ機構３０は、収容空間３１を形成するために、例えば、略Ｃ字状、略コ字状等に形成され、固定部４０と保持部５０とを連結する連結部６０を備えてなる。これらクランプ機構３０を構成する固定部４０、保持部５０及び連結部６０は、例えば、金属板、合成樹脂等から形成され、夫々を一体的に形成することもできるし、別体とすることもできる。
【００２２】
固定部４０は、保持部５０に設置される押圧手段８０によって板状体Ｗを固定部４０側へ押圧して挟持するため、収容空間３１側の内側面にエッチング加工、コーティング加工等を施した滑り止め部を設けることが望ましい。また、固定部４０は、被挟持体を円柱体とした際に挟持し易いよう、収容空間３１側の内側面から外側面方向に湾曲する受け部４１を設けることもできる。
【００２３】
保持部５０は、押圧手段８０を構成するボルト８１等を螺合させるためのネジ孔５１が所定箇所に設けられる。また、ボルト８１の先端部には、板状体Ｗを安定した状態で押圧するために押さえ部８２を設置することもできる。当該押さえ部８２は、例えば、円盤状に形成され、滑り止め効果を奏するよう弾性体から形成される。
【００２４】
連結部６０は、固定部４０と保持部５０とを連結するものであって、略平板状、略円弧状、略Ｖ字状等に形成される。また、連結部６０には、収容空間３１内に配置される板状体Ｗをクランプ機構３０にて挟持するとともに、猫用爪とぎ器を板状体Ｗに対してより強固に固定するネジ、釘等を挿通させるための貫通孔６１が所定箇所に設けられる。
【００２５】
また、当該貫通孔６１を用いての猫用爪とぎ器の固定に際しては、押圧手段８０を用いることなく、連結部６０を板状体Ｗに当接させた状態で、収容空間３１側から貫通孔６１にネジ、釘等を挿通させて固定することもできる。
【００２６】
そして、クランプ機構３０の基部２０への連結については、固定部４０、保持部５０、連結部６０のいずれかの箇所に連結されていればよい趣旨である。すなわち、収容空間３１の開口部が向けられる方向は、爪とぎ具１０に対して上下、左右、前後、斜めのいずれの方向であってもよいものであり、連結される固定部４０、保持部５０、連結部６０の形状、配置等によって適宜の方向に開口するよう設定することができる。
【００２７】
本実施例においては、クランプ機構３０は、図２に示すように、板状体Ｗの左端縁部に爪とぎ具１０が上下方向に位置するよう設置されるため、爪とぎ具１０に対して右側方向に収容空間３１の開口が位置するよう設定される。
【００２８】
具体的には、図１及び図２に示すように、固定部４０は、左右方向を長手方向とした略矩形状に形成され、固定部４０の下端部に基部２０を連結してなる。そして、クランプ機構３０が略コ字状となるよう、固定部４０の左端部から連結部６０を垂直に配設するとともに、連結部６０の他端部から固定部４０に対向配置するよう保持部５０を配設する。これにより、固定部４０と保持部５０との間には、爪とぎ具１０に対して右側方向に開口する収容空間３１が形成される。これらの基部２０、固定部４０、保持部５０及び連結部６０は、所定形状に形成された板体を折曲することで一体的に形成される。
【００２９】
また、固定部４０は、板状体Ｗとの接触面積を大きくするため、基部２０における左右方向の幅寸法と同様の幅寸法を有して形成される。また、固定部４０の受け部４１、保持部５０のネジ孔５１においては、夫々が対向するようにして設けられる。より詳細には、受け部４１の中心位置とネジ孔５１の中心位置とが同一直線上に位置するよう設定される。このようにして、爪とぎ具１０の上方側に設置されるクランプ機構３０が形成される。
【００３０】
一方、爪とぎ具１０の下方側に設置されるクランプ機構３０においては、固定部４０の上端部に基部２０が連結される点を除いて、上方側に設置されるクランプ機構３０と同様にして形成される。また、爪とぎ具１０の上方側に設置されるクランプ機構３０と同様のものを下方側に設置することができるのは勿論である。これにより、上下方向の基部２０及びクランプ機構３０を共通部品とすることができ、コストの削減、商品の管理等を容易に行うことができる。
【００３１】
また、クランプ機構３０においては、固定部４０の上下端部に連結されるものに限られることなく、上下端部間の側面に連結されるものであってもよいのは勿論である。
【００３２】
このようにして構成される猫用爪とぎ器は、図２に示すようにして、板状体Ｗに取り付けられる。猫用爪とぎ器を上下方向に取り付ける際には、爪とぎ具１０を上下方向に配置し、固定部４０と保持部５０との間の収容空間３１に板状体Ｗを配置した状態とする。そして、押圧手段８０のボルト８１を固定部４０側へ向けて螺入させ、当該ボルト８１の先端部又は押さえ部８２と固定部４０によって板状体Ｗを挟持し、固定する。また、板状体Ｗに対して猫用爪とぎ器をより強固に固定する際には、貫通孔６１にネジ、釘等を挿通させて板状体Ｗに固定する。
【００３３】
また、猫用爪とぎ器を手すり、ポール等の円柱体Ｐに取り付ける際には、図３に示すように、円柱体Ｐを固定部４０の受け部４１に当てがった状態で、同様にして、押圧手段８０のボルト８１を固定部４０側へ向けて螺入させ、当該ボルト８１の先端部又は押さえ部８２と固定部４０によって板状体Ｗを挟持し、固定する。
【００３４】
以上、説明した本発明に係る猫用爪とぎ器によれば、固定部４０と保持部５０に設置される押圧手段８０によって、被挟持体を挟持して固定するので、被挟持体が収容空間３１に収容され得る寸法、形状等であれば、設置場所を選ぶことなく取り付けることができる。すなわち、猫用爪とぎ器の設置高さを任意の位置で取り付けることができるので、猫の成長過程に合わせて、あらゆる位置に取り付けることができ、省スペースでの強固な設置を実現することができる。
【００３５】
また、固定部２０に貫通孔２１（前後調整孔）が設けられることから、爪とぎ具１０とクランプ機構３０との間隙を調整することができる。これにより、設置しようとする箇所における上下の基部２０の間に突起物、障害物等が位置する場合であっても、これを回避した状態で安定して設置することができる。
【００３６】
上述した実施例において、爪とぎ具１０、基部２０、クランプ機構３０の形状、寸法、材質等を適宜変更して実施することが可能である。例えば、爪とぎ具１０においては、複数個を上下又は左右方向等に連結して使用することもできる。
【００３７】
また、クランプ機構３０の基部２０への連結においては、爪とぎ具１０に対して左側方向に収容空間３１が開口するよう固定部４０を基部２０に連結することもできるし、収容空間３１が上方又は下方に開口するよう固定部４０を基部２０に連結することもできる。また、基部２０を保持部５０に連結する際においても、同様にして、収容空間３１の開口方向が制限されることはない。また、収容空間３１が後方に向けて開口するよう、すなわち、爪とぎ具１０を有さない方向に開口するよう、基部２０を連結部６０に連結することもできるし、爪とぎ具１０を有する前方へ向けて収容空間３１が開口するよう連結することもできる。
【００３８】
更に、図２及び図３に示すように、基部２０は、爪とぎ具１０の両端部に設置されるものであるが、これに限られるものではない。例えば、爪とぎ具１０の一端部のみに対して、基部２０及びクランプ機構３０を設置することもできる。係る際には、設置時の安定性を考慮して、保持部５０を適宜の形状とし、保持部５０に複数個のネジ孔５１を設けて、複数の押圧手段８０を設置できるように構成することもできる。
【００３９】
また、上述した実施例において、一部構成を省略することができるし、一部抽出した構成とすることができるのは勿論である。
【符号の説明】
【００４０】
１０    爪とぎ具
２０    基部
３０    クランプ機構
４０    固定部
５０    保持部
６０    連結部
８０    押圧手段
【図１】
2016041031.tif 000003
【図２】
2016041031.tif 000004
【図３】
2016041031.tif 000005